(57)【要約】      （修正有）【課題】簡単な機構でフェールセーフを実現可能な車両用灯具を提供する。【解決手段】車両用灯具は、光源１と、光源の前方に配置された回転ドラムシェード３と、回転ドラムシェードを挟んだ光源の前方位置、又は光源と回転ドラムシェードの相互間位置の何れかに配置された可動板状シェード４と、可動板状シェードの配置状態を制御する駆動手段５と、を含む。上記駆動手段は、可動板状シェードと接続された機構部と、当該機構部を動作させる駆動力を発生するソレノイドと、を有する。上記可動板状シェードは、駆動手段の機構部が動作することにより、光源から回転ドラムシェードを介して進行する光を遮らない第１配置状態と、光源から回転ドラムシェードを介して進行する光の少なくとも一部を遮る第２配置状態の何れかに配置状態を制御する。【選択図】図１
2011165350.tif 000002
【特許請求の範囲】
【請求項１】
光源と、
前記光源の前方に配置された回転ドラムシェードと、
前記回転ドラムシェードを挟んだ前記光源の前方位置、又は前記光源と前記回転ドラムシェードの相互間位置の何れかに配置された可動板状シェードと、
前記可動板状シェードの配置状態を制御する駆動手段と、
を含み、
前記駆動手段は、前記可動板状シェードと接続された機構部と、当該機構部を動作させる駆動力を発生するソレノイドと、を有し、
前記可動板状シェードは、前記駆動手段の前記機構部が動作することにより、前記光源から前記回転ドラムシェードを介して進行する光を遮らない第１配置状態と、前記光源から前記回転ドラムシェードを介して進行する光の少なくとも一部を遮る第２配置状態の何れかに配置状態を制御される、
車両用灯具。
【請求項２】
前記可動板状シェードは、前記機構部の動作に応じて回転移動することにより前記第１配置状態と前記第２配置状態との間を遷移する、
請求項１に記載の車両用灯具。
【請求項３】
前記可動板状シェードは、前記機構部の動作に応じて直線移動することにより前記第１配置状態と前記第２配置状態との間を遷移する、
請求項１に記載の車両用灯具。
【請求項４】
前記駆動手段の前記機構部は、前記ソレノイドが励磁されているときに前記可動板状シェードを前記第１配置状態にし、前記ソレノイドが励磁されていないときに前記可動板状シェードを前記第２配置状態にするよう動作する、
請求項１〜３の何れか１項に記載の車両用灯具。
【請求項５】
前記駆動手段と接続されたコントロールユニット、
を更に含み、
前記コントロールユニットは、前記回転ドラムシェードに動作異常が発生したか否かを判定し、当該動作異常が発生していないときに前記ソレノイドを励磁状態にし、当該動作異常が発生したときに前記ソレノイドを非励磁状態にする、
請求項４に記載の車両用灯具。
【発明の詳細な説明】
【技術分野】
【０００１】
本発明は、車両に取り付けて用いられる前照灯などの車両用灯具に関する。
【背景技術】
【０００２】
従来のハロゲンバルブを用いた車両用灯具においては、走行ビームとすれ違いビーム（下向きビーム）を実現するために、ひとつのバルブにフィラメントが２つ備わっていることが多かった。このビーム切換時には、２つのフィラメントのうちどちらかが点灯することによって、どちらかの配光を実現していた。
【０００３】
また、近年ではＨＩＤ（High Intensity Discharge lamp）方式の光源を用いた車両用灯具も普及している。このような場合には、上記のような２つのフィラメントという構成ではないため、ビーム切換を実現するためには、新たに専用の光源を設けておくか、あるいは強制的に光線の方向を変えるためのフードを設けておく必要がある。このフードの駆動にはソレノイドが使用されることが多い。
【０００４】
かかる構成においては、パッシングなど瞬間的に動作された場合でも追従速度に問題はなく、故障の際にもすれ違いビーム側へ倒れるように配慮されており、走行上問題となるようなことはない。特に、プロジェクタータイプの車両用灯具では、このソレノイドでプロジェクター内のシェード部分を駆動することで走行ビームとすれ違いビームを切り換えている。最近では、このシェード部分の形状を回転ドラムの形状にすることで走行ビームへの切り換えや、新たな配光形状可変制御に使用する例が知られている（例えば特許文献１参照）。
【０００５】
しかし、上記回転ドラム形状にした場合、故障発生時にすれ違いビームへ戻すことが容易ではない。そのため、フェールセーフ機構を実現するために複雑な機械的構造が必要となり、また電力を多く使うことで対応する必要が生じる等の不都合がある。
【先行技術文献】
【特許文献】
【０００６】
【特許文献１】特開２００８−１３５３０２号公報
【発明の概要】
【発明が解決しようとする課題】
【０００７】
本発明に係る具体的態様は、簡単な機構でフェールセーフを実現可能な車両用灯具を提供することを目的の１つとする。
【課題を解決するための手段】
【０００８】
本発明に係る一態様の車両用灯具は、（ａ）光源と、（ｂ）光源の前方に配置された回転ドラムシェードと、（ｃ）回転ドラムシェードを挟んで光源の前方位置、又は光源と回転ドラムシェードの相互間位置の何れかに配置された可動板状シェードと、（ｄ）可動板状シェードの配置状態を制御する駆動手段と、を含む。上記した駆動手段は、可動板状シェードと接続された機構部と、当該機構部を動作させる駆動力を発生するソレノイドと、を有する。上記した可動板状シェードは、駆動手段の機構部が動作することにより、光源から回転ドラムシェードを介して進行する光を遮らない第１配置状態と、光源から回転ドラムシェードを介して進行する光の少なくとも一部を遮る第２配置状態の何れかに配置状態を制御される。
【０００９】
かかる構成によれば、ソレノイドへの励磁状態を変えることによって機構部を動作させ、通常は可動板状シェードを第１配置状態とし、異常発生時には第２配置状態とすることで、簡単な構成にてフェールセーフを実現できる。可動板状フェードは、板状体であるから配置状態を変えるのに要するエネルギーが少なく、省電力化も達成される。
【００１０】
上記可動板状シェードは、例えば、機構部の動作に応じて回転移動することにより第１配置状態と第２配置状態との間を遷移することが好ましい。また、上記可動板状シェードは、機構部の動作に応じて直線移動することにより第１配置状態と第２配置状態との間を遷移することも好ましい。
【００１１】
また、駆動手段の機構部は、ソレノイドが励磁されているときに可動板状シェードを第１配置状態にし、ソレノイドが励磁されていないときに可動板状シェードを第２配置状態にするよう動作することが好ましい。
【００１２】
これにより、フェールセーフのための第２配置状態に可動板状シェードを制御する際に励磁電力が不要となる。
【００１３】
上記の車両用灯具は、駆動手段と接続されたコントロールユニット、を更に含むことも好ましい。この場合のコントロールユニットは、回転ドラムシェードに動作異常が発生したか否かを判定し、当該動作異常が発生していないときにソレノイドを励磁状態にし、当該動作異常が発生したときにソレノイドを非励磁状態にする、ことが好ましい。
【図面の簡単な説明】
【００１４】
【図１】一実施形態の車両用灯具の全体構成を示す斜視図である。
【図２】車両用灯具の主要構成を模式的に示した側面図である。
【図３】回転ドラムシェードおよび可動板状シェードを駆動するための電気的な構成の一例を示すブロック図である。
【図４】可動板状シェードを制御する際の動作手順を示すフローチャートである。
【図５】可動板状シェードの動作状態を示す模式的な斜視図である。
【図６】可動板状シェードの動作状態の変形例を示す模式的な斜視図である。
【発明を実施するための形態】
【００１５】
以下に、本発明の実施の形態について図面を参照しながら説明する。
【００１６】
図１は、一実施形態の車両用灯具の全体構成を示す斜視図である。また、図２は車両用灯具の主要構成を模式的に示した側面図である。各図に示す車両用灯具は、車両の前照灯として用いられるものであって、主要な構成要素として、光源１と、この光源１からの光を反射するリフレクタ２と、回転ドラムシェード３と、可動板状シェード４と、駆動装置５と、を備えている。この車両用灯具は、プロジェクターユニット内にある回転ドラムシェード３を適宜回転させることにより光源１から放射される光の進行方向を制御し、配光状態を自由に制御できるものである。
【００１７】
本実施形態の車両用灯具では、光源１の前方（すなわち光の出射方向）に回転ドラムシェード３が配置され、さらにその前方に可動板状シェード４が配置されている。可動板状シェード４は、駆動装置５と接続されており、通常時は図１（ａ）および図２（ａ）に示すように斜めに倒れた状態で配置される。この配置状態においては、光源１から放射され、回転ドラムシェード３を介して前方に進行した光は、実質的に、可動板状シェード４に遮蔽されることがない。なお、可動板状シェード４は、光源１と回転ドラムシェード３との間に配置されてもよい。
【００１８】
また、回転ドラムシェード３が故障等により動作しなくなった場合においては、図１（ｂ）および図２（ｂ）に示すように可動板状シェード４は駆動装置５によって略直立状態に配置される。この配置状態においては、光源１から放射され、回転ドラムシェード３を介して前方に進行した光が可動板状シェード４によって部分的に遮蔽され、すれ違いビームに近い配光に制御される。それにより、例えば回転ドラムシェード３が光源１からの光を走行ビームに制御する位置で動かなくなった場合においても、周囲の車両に眩惑を与えることなく、故障時の配光規格を守ることができる。
【００１９】
図３は、回転ドラムシェード３および可動板状シェード４を駆動するための電気的な構成の一例を示すブロック図である。図３に示すように、車両用灯具は、回転ドラムシェード３を動作させるための回転アクチュエータ６と、可動板状シェード４を動作させるための駆動装置５と、を備えている。これらの駆動装置５および回転アクチュエータ６は、コントロールユニット１０と接続されている。
【００２０】
本実施形態では、駆動装置５としてソレノイド５ａと機構部（可動片）５ｂを備えたアクチュエータを用いている（上記図２参照）。この駆動装置５は、ソレノイド５ａが励磁されているときには当該ソレノイド５ａが発生する駆動力によって機構部５ｂがソレノイド５ａ外へと向かう方向へ移動する。この動作により、機構部５ｂと接続された可動板状シェード４は、傾いた状態に制御される（図２（ａ）参照）。また、ソレノイド５ａが励磁されていないときには当該ソレノイド５ａが駆動力を発生しないので、機構部５ｂがソレノイド５ａ内へと向かう方向へ移動する。この動作により、機構部５ｂと接続された可動板状シェード４が直立状態に制御される（図２（ｂ）参照）。
【００２１】
コントロールユニット１０は、例えば車両側に備わっており、信号処理部１１、演算部１２および出力部１３を備える。信号処理部１１は、種々の車両信号が入力されると、当該車両信号をデジタル信号に変換する等の所定の信号処理を行う。ここで「車両信号」とは、例えば操蛇角、速度（車速）、車輪速、ギアポジション、ランプスイッチなどを示す信号を含む。演算部１２は、信号処理部１１から出力される車両信号に基づいて所定の演算を実行する。本実施形態では、後述するように可動板状シェード４の動作を制御するための演算がこの演算部１２によって実行される。出力部１３は、演算部１２からの命令に従って、駆動装置５および回転アクチュエータ６を駆動する。
【００２２】
図４は、可動板状シェード４の動作を制御する際の動作手順を示すフローチャートである。また、図５は、可動板状シェード４の動作状態を示す模式的な斜視図である。
【００２３】
演算部１２は、回転ドラムシェード３を動作させる回転アクチュエータ６にエラーが発生しているか否かを判定する（ステップＳ１０）。具体的には、演算部１２は、回転アクチュエータ６から出力される動作モニター用信号に基づいて、回転アクチュエータ６が正常動作中であるかエラー発生中であるかを判断する。
【００２４】
回転アクチュエータ６に位置異常が発生していない場合にはステップＳ１０において否定判断がなされる。次いで、演算部１２は、回転ドラムシェード３に位置異常の故障が発生しているか否かを判定する（ステップＳ１１）。例えば、回転ドラムシェード３の現在位置を検出するためのセンサ（図示省略）が設けられており、当該センサの出力信号に基づいて、演算部１２は、回転ドラムシェード３に位置異常が発生しているか否かを判定する。具体的には、上記センサは、回転ドラムシェード３の回転位置に応じて出力電圧が変動するように構成されており、演算部１２は、センサの出力電圧が所定の上限値および下限値の範囲内であるか否かを判断する。
【００２５】
回転ドラムシェード３に位置異常が検出されない場合にはステップＳ１１において否定判断がなされる。次いで、演算部１２は、出力部１３に所定の制御信号を与えることにより、駆動装置５のソレノイドの励磁をオン状態に制御する（ステップＳ１２）。
【００２６】
この場合に、可動板状シェード４は通常制御状態となる（ステップＳ１３）。すなわち、可動板状シェード４は、光源１から放射された光を遮らない第１配置状態（本実施形態では斜めに傾いた状態）に制御される（図５（ａ）参照）。
【００２７】
一方、上記ステップＳ１０またはステップＳ１１のいずれかにおいて肯定判断がなされた場合には、演算部１２は、出力部１３に所定の制御信号を与えることにより、駆動装置５のソレノイドの励磁をオフ状態に制御する（ステップＳ１４）。
【００２８】
この場合には、可動板状シェード４は制御停止状態となる（ステップＳ１５）。すなわち、可動板状シェード４は、光源１から放射された光の少なくとも一部を遮る第２配置状態（本実施形態では直立した状態）に制御される（図５（ｂ）参照）。図示のように本実施形態の可動板状シェード４は、回転移動することにより第１配置状態と第２配置状態との間を遷移する。
【００２９】
以上のような本実施形態によれば、複雑な機構や多大な消費電力を使用することなく、簡単な機構でフェールセーフを実現可能な車両用灯具が得られる。
【００３０】
なお、本発明は上述した実施形態の内容に限定されるものではなく、本発明の要旨の範囲内において種々に変形して実施をすることが可能である。
【００３１】
例えば、上述した実施形態においては、可動板状シェード４を回転移動させることによって第１配置状態と第２配置状態との間を遷移させていたが、図６に模式的な斜視図を示すように可動板状シェード４を直線移動させる（スライドさせる）ことによって配置状体の遷移を実現することもできる。具体的には、可動板状シェード４が回転ドラムシェード３と対向しないように可動板状シェード４を相対的に下側へスライドさせることにより、光源１から放射された光を遮らない第１配置状態に制御できる（図６（ａ）参照）。可動板状シェード４が回転ドラムシェード３と対向するように可動板状シェード４を相対的に上側へスライドさせることにより、光源１から放射された光の少なくとも一部を遮る第２配置状態に制御できる（図６（ｂ）参照）。
【符号の説明】
【００３２】
１…光源、  ２…リフレクタ、  ３…回転ドラムシェード、  ４…可動板状シェード、  ５…駆動装置、  ６…回転アクチュエータ、  １０…コントロールユニット、  １１…信号処理部、  １２…演算部、  １３…出力部
【図１】
2011165350.tif 000003
【図３】
2011165350.tif 000004
【図４】
2011165350.tif 000005
【図２】
2011165350.tif 000006
【図５】
2011165350.tif 000007
【図６】
2011165350.tif 000008